(57)【特許請求の範囲】
【請求項１】
互いに隣接し、かつそれぞれ凹部により構成される収納部及び格納部が設けられた容器本体と、
前記容器本体に支持され、前記収納部及び前記格納部の両方の開口を閉鎖する閉位置と、前記収納部の開口を開放し、かつ一部が前記格納部の開口を通じて同格納部内に格納される開位置との間で回動する蓋体と
を備える収納容器であって、
前記容器本体において前記格納部を挟んで前記収納部の反対側に被着部を設け、加飾面を有する加飾部材を前記被着部に取外し可能に係止し、
前記被着部及び前記加飾部材には、前記開位置にある前記蓋体に対し、さらに前記収納部を開く側へ回動させる力が加えられた場合に、前記加飾部材の前記被着部に対する係止の解除を補助する係止解除補助部が設けられている収納容器。
【請求項２】
前記係止解除補助部は、前記被着部にあけられた支持孔部と、前記加飾部材から前記被着部に向けて突出する支持片とを備え、
前記支持片が前記支持孔部に挿通された状態で、前記蓋体に対し、前記開位置よりも前記収納部を開く側へ回動させる力が加わった場合に、前記支持片の前記支持孔部に対する挿通箇所を支点として、前記加飾部材の前記被着部との係止状態を解除させる方向へ前記加飾部材を回動させることで、前記係止の解除を補助するものである請求項１に記載の収納容器。
【請求項３】
前記被着部には係止孔部が設けられ、前記加飾部材には前記被着部に向けて突出する係止片が設けられており、
前記係止片が前記係止孔部に挿通及び係止されることにより、前記加飾部材は前記被着部に取外し可能に係止されるものである請求項２に記載の収納容器。
【請求項４】
前記支持孔部は、前記被着部の前記係止孔部よりも、前記収納部及び前記格納部の配列方向において前記格納部から遠い箇所に設けられ、
前記支持片は、前記加飾部材の前記係止片よりも、前記配列方向において前記格納部から遠い箇所に設けられ、
前記支持片の前記支持孔部に対する挿通箇所は、前記係止片の前記係止孔部に対する係止箇所よりも、前記加飾部材の前記加飾面から遠ざかった箇所に設定されている請求項３に記載の収納容器。
【請求項５】
前記収納部を第１収納部とし、前記蓋体を第１蓋体とした場合において、
前記容器本体において前記被着部を挟んで前記格納部とは反対側には、凹部からなる第２収納部と、前記第２収納部の開口を開放及び閉鎖する第２蓋体とが設けられている請求項１〜４のいずれか１項に記載の収納容器。
【発明の詳細な説明】
【技術分野】
【０００１】
本発明は、小物等を収納するための収納容器に関する。
【背景技術】
【０００２】
例えば、自動車の車室には、コンソールボックス、グラブボックス等の各種収納容器が設けられている。これらの収納容器は、一般に、収納部が設けられた容器本体と蓋体とを備える。収納部は、小物を入れるための箇所であり、凹部によって構成される。蓋体は、容器本体に支持されており、収納部の開口を閉鎖する閉位置と、その開口を開放する開位置との間で回動する。そのため、蓋体を閉位置から開位置へ回動させることにより、収納部の開口を開放させ、その開口を通じ小物等を収納部に出し入れすることができる。また、小物等の不使用時には、小物等の収納された収納部の開口を蓋体によって閉鎖することができる。
【０００３】
上記構成の収納容器の中には、開位置にある蓋体に過剰な負荷が加えられた場合に、構成部材を保護する機構を設けたものがある。
これに関連する技術としては、例えば、特許文献１に記載された「小物用ホルダー」が挙げられる。この小物用ホルダーは、上述した収納容器と同一構成ではないが、保護機構が設けられている点では共通している。
【０００４】
この小物用ホルダーでは、カップ等の小物が載置される受承板（蓋体）が、その内端部においてコンソールボックス（容器本体）の背部に支持されている。受承板（蓋体）は、閉位置では起立状態となり、コンソールボックス（容器本体）の背部に形成された格納部に格納される。受承板（蓋体）は、開位置では水平状態となり、この上に小物を載置することが可能となる。
【０００５】
コンソールボックス（容器本体）と受承板（蓋体）とは、屈曲可能に構成された支持アームによって連結されている。支持アームは、受承板（蓋体）が開位置まで回動されたとき、同受承板（蓋体）を水平状態に支持する。さらに、支持アームの下端部は、受承板（蓋体）に脱着可能に連結されている。そのため、受承板（蓋体）に対し、想定されるよりも大きな荷重が加えられた場合には、受承板（蓋体）が支持アームから離脱し、支持アームと受承板（蓋体）との連結部の損傷が抑制される。
【先行技術文献】
【特許文献】
【０００６】
【特許文献１】特開平１１−１５１９６８号公報
【発明の概要】
【発明が解決しようとする課題】
【０００７】
ところが、上記特許文献１に記載された小物用ホルダー（収納容器）では、支持アームから離脱した受承板（蓋体）が、さらに格納部を開く側へ回動し、コンソールボックス（容器本体）の背部において、格納部の下側に隣接する箇所と干渉する。この干渉により、受承板（蓋体）や、コンソールボックス（容器本体）の上記箇所が損傷されるおそれがある。
【０００８】
こうした問題は、上記特許文献１にとどまらず、収納部及び格納部が設けられた容器本体と、蓋体とを備えた収納容器であれば共通して起こり得る。
本発明は、このような実情に鑑みてなされたものであって、その目的は、蓋体と格納部に隣接する箇所との干渉により損傷が生ずるのを抑制することのできる収納容器を提供することにある。
【課題を解決するための手段】
【０００９】
上記課題を解決する収納容器は、互いに隣接し、かつそれぞれ凹部により構成される収納部及び格納部が設けられた容器本体と、前記容器本体に支持され、前記収納部及び前記格納部の両方の開口を閉鎖する閉位置と、前記収納部の開口を開放し、かつ一部が前記格納部の開口を通じて同格納部内に格納される開位置との間で回動する蓋体とを備える収納容器であって、前記容器本体において前記格納部を挟んで前記収納部の反対側に被着部を設け、加飾面を有する加飾部材を前記被着部に取外し可能に係止し、前記被着部及び前記加飾部材には、前記開位置にある前記蓋体に対し、さらに前記収納部を開く側へ回動させる力が加えられた場合に、前記加飾部材の前記被着部に対する係止の解除を補助する係止解除補助部が設けられている。
【００１０】
上記の構成によれば、収納容器では、容器本体において格納部を挟んで収納部の反対側となる箇所が、被着部に係止された加飾部材の加飾面によって装飾される。
上記収納容器において蓋体が開位置まで回動されると、収納部の開口が開放されるとともに、蓋体の一部が収納部に隣接する格納部に格納される。蓋体の残部は格納部の外部に露出する。
【００１１】
蓋体のうち格納部から露出した箇所に過剰な荷重が加えられて、開位置にある蓋体に対し、さらに収納部を開く側へ回動させる力が加えられると、加飾部材の被着部に対する係止の解除が係止解除補助部によって補助される。加飾部材が被着部に係止されなくなり、加飾部材が動くことが可能となる。そのため、蓋体に加えられた上記荷重が加飾部材に伝わりにくくなる。また、蓋体が、接触した加飾部材から受ける反力も小さくなる。蓋体は、加飾部材が被着部に係止され続ける場合に比べ、収納部を開く側へ多く動けるようになる。その結果、蓋体も加飾部材も損傷されにくくなる。
【発明の効果】
【００１２】
上記収納容器によれば、蓋体と格納部に隣接する箇所との干渉により損傷が生ずるのを抑制することができる。
【図面の簡単な説明】
【００１３】
【図１】センターコンソールの後部に設けられる収納容器に具体化した一実施形態において、その収納容器を後方から見た状態を示す背面図。
【図２】一実施形態において、第２蓋体が取付けられたフレームを後方から見た状態を示す部分背面図。
【図３】一実施形態において、蓋体が閉位置にあるときの収納容器の内部構造を示す部分側断面図。
【図４】一実施形態における加飾部材を示す図であり、（ａ）は平面図、（ｂ）は前方から見た状態を示す正面図。
【図５】一実施形態において、蓋体が開位置にあるときの収納容器の内部構造を示す部分側断面図。
【図６】図５の蓋体の格納部からの露出部分に過剰な力が加えられたときの加飾部材の動きを説明する部分側断面図。
【図７】同じく加飾部材の動きを説明する部分側断面図。
【図８】同じく加飾部材の動きを説明する部分側断面図。
【図９】同じく加飾部材の動きを説明する部分側断面図。
【発明を実施するための形態】
【００１４】
以下、自動車のセンターコンソールに設けられる収納容器に具体化した一実施形態について、図面を参照して説明する。
なお、以下の記載においては、自動車の進行方向（前進方向）を前方とし、後退方向を後方として説明する。また、車幅方向（左右方向）については、自動車を後方から見た場合を基準として方向を規定する。
【００１５】
図１に示すように、自動車における車室１１の前部の床上であって、車幅方向の中央部には、前後方向へ延びるセンターコンソール１２が設けられている。センターコンソール１２を中心として、その車幅方向の両側（左右両側）には、センターコンソール１２に接近させた状態で一対の車両用シート１３（運転席及び助手席）が配置されている。センターコンソール１２の後部には、本実施形態の収納容器１４が設けられている。
【００１６】
収納容器１４は、容器本体１５、第１蓋体２３、加飾部材３１及び第２蓋体３７を備えている。図１〜図３に示すように、容器本体１５は、その骨格部分を構成するフレーム１６と、フレーム１６に取付けられる意匠部材１７とを備えている。容器本体１５には、第１収納部２１、格納部２２、被着部２７及び第２収納部３６が設けられている。
【００１７】
第１収納部２１は、容器本体１５の後面に開口２１ａを有する凹部により構成されている。第１収納部２１は、リモコン等の小物類を収納することのできる容量を有している。
格納部２２は、容器本体１５の後面であって、第１収納部２１の下側に隣接した箇所に開口２２ａを有する凹部により構成されている。
【００１８】
第１蓋体２３は、いずれも樹脂材料によって形成されたアウタパネル２４とインナパネル２５とを接合させることにより、次の条件１及び条件２を満たす大きさ及び形状に形成されている。
【００１９】
条件１：図３に示すように、第１蓋体２３が第１収納部２１の開口２１ａと格納部２２の開口２２ａとを同時に塞ぐこと。
条件２：図５に示すように、第１蓋体２３の一部が格納部２２に格納されること。
【００２０】
第１蓋体２３は、車幅方向に延びる軸２６により容器本体１５に支持されており、軸２６を支点として、図３に示す閉位置と、図５に示す開位置との間で回動可能である。本実施形態では、第１蓋体２３が略起立状態になって、両開口２１ａ，２２ａを同時に閉鎖する位置が「閉位置」とされている。閉位置では、第１収納部２１及び格納部２２のいずれもが隠される。また、第１蓋体２３が後側ほど若干高くなる傾斜状態となって、第１収納部２１の開口２１ａを開放し、かつ第１蓋体２３の略半分が開口２２ａを通じて格納部２２内に格納される位置が「開位置」とされている。開位置では、第１蓋体２３の残部が格納部２２から後方へ露出する。
【００２１】
図２及び図３に示すように、被着部２７は、容器本体１５において格納部２２を挟んで第１収納部２１の反対側、この場合、格納部２２の直下に設けられている。被着部２７は、上下方向の寸法よりも車幅方向の寸法が大きな横長の形状をなしている。被着部２７は、概ね前側ほど低くなるように傾斜している。
【００２２】
被着部２７の上下方向の略中央部において、車幅方向に互いに離間した複数箇所（本実施形態では４箇所）には、係止孔部２８があけられている。各係止孔部２８は、上下方向よりも車幅方向に細長い長方形状の孔によって構成されている。
【００２３】
被着部２７の上記係止孔部２８と略同じ高さであって、係止孔部２８から車幅方向へ離間した複数箇所（本実施形態では３箇所）には、位置決め孔部２９があけられている。各位置決め孔部２９は、円形状又は長円形状の孔によって構成されている。
【００２４】
図３及び図４（ａ），（ｂ）に示すように、加飾部材３１は樹脂材料によって形成されており、被着部２７に取外し可能に係止されている。加飾部材３１は、略垂直状をなす後壁部３２と、略水平状をなす底壁部３３とを備えており、屈曲した形状をなしている。後壁部３２の後面は、容器本体１５において格納部２２を挟んで第１収納部２１の反対側となる箇所を装飾するための加飾面３２ａとなっている。底壁部３３は、自身の後端部において、後壁部３２の下端部に繋がっている。加飾部材３１は、上下方向及び前後方向の各寸法よりも車幅方向の寸法が大きな横長の形状をなしている。
【００２５】
後壁部３２の前面の底壁部３３に接近した箇所において、車幅方向に互いに離間した複数箇所（本実施形態では４箇所）には、被着部２７の係止孔部２８に向けて突出する係止片３４が設けられている。各係止片３４の前端面は、底壁部３３の前端面よりも後方に位置している。各係止片３４には、その前端から上方へ膨出する爪部３４ａが形成されている。各爪部３４ａの上面は、後側ほど高くなるように傾斜している。各係止片３４（爪部３４ａを含む）の上下方向の厚みは、係止孔部２８の上下方向の寸法よりも小さく設定されている。
【００２６】
また、後壁部３２の前面の係止片３４と略同じ高さであって、係止片３４から車幅方向へ離間した複数箇所（本実施形態では３箇所）には、被着部２７の位置決め孔部２９に向けて突出する位置決めボス３５が設けられている。
【００２７】
そして、各位置決めボス３５が対応する位置決め孔部２９に挿通されることで、加飾部材３１の被着部２７に対する車幅方向及び上下方向の位置決めがなされている。また、各爪部３４ａが係止孔部２８よりも前方に位置するまで、各係止片３４が対応する係止孔部２８に挿通されることにより、加飾部材３１が被着部２７に取外し可能に係止されている。
【００２８】
図１〜図３に示すように、第２収納部３６は、容器本体１５において被着部２７を挟んで格納部２２とは反対側、この場合、被着部２７の直下に設けられている。第２収納部３６は、上記第１収納部２１と同様、容器本体１５の後面に開口３６ａを有する凹部により構成されている。開口３６ａは第１収納部２１の開口２１ａよりも上下方向に大きく形成されている。第２収納部３６は、上記リモコン等よりも大きな小物類、例えば飲料容器等を立てた状態で収納することのできる容量を有している。
【００２９】
第２蓋体３７は、第２収納部３６の開口３６ａを塞ぐことのできる大きさを有しており、上記第１蓋体２３よりも大きく形成されている。第２蓋体３７は、第１蓋体２３の軸２６と同様に車幅方向に延びる軸（図示しない）により容器本体１５に支持されている。第２蓋体３７は、上記軸を支点とした回動により、第２収納部３６の開口３６ａを開放及び閉鎖する。
【００３０】
ここで、上記加飾部材３１の存在意義について説明する。上記構成を有する収納容器１４では、第１収納部２１及び格納部２２が第１蓋体２３によって開放及び閉鎖されるとともに、それとは別に第２収納部３６が第２蓋体３７によって開放及び閉鎖される。第１蓋体２３及び第２蓋体３７といった可動部材が２つ用いられることから、第２収納部３６を格納部２２に近づけるにも限度がある。収納容器１４の後面であって格納部２２と第２収納部３６との間には間隙が生ずる。第２収納部３６を格納部２２に近づけすぎると、第１蓋体２３と第２蓋体３７とが干渉するからである。この間隙は、広いと、収納容器１４の後面の見栄えを損なう。しかし、本実施形態では、この間隙に被着部２７を形成し、ここに加飾部材３１を取付けることで、収納容器１４の後面の上記間隙を加飾部材３１で隠し、見栄えの向上を図っている。
【００３１】
さらに、本実施形態では、上記被着部２７及び加飾部材３１に係止解除補助部４１が設けられている。係止解除補助部４１は、開位置にある第１蓋体２３に対し、さらに第１収納部２１を開く側へ回動させる力が加えられた場合に、加飾部材３１の容器本体１５に対する係止の解除を補助するためのものである。
【００３２】
より詳しくは、係止解除補助部４１は、被着部２７の複数の支持孔部４２、及び支持孔部４２と同数の支持片４３を備えている。
図２及び図３に示すように、各支持孔部４２は、被着部２７の係止孔部２８よりも下方かつ前方において、車幅方向に互いに離間した複数箇所（本実施形態では４箇所）にあけられている。従って、各支持孔部４２は、被着部２７の係止孔部２８よりも、第１収納部２１及び格納部２２の配列方向において格納部２２から遠い箇所に位置している。各支持孔部４２は、上記係止孔部２８と同様に、上下方向よりも車幅方向に細長い長方形状の孔によって構成されている。
【００３３】
図３及び図４（ａ），（ｂ）に示すように、各支持片４３は略矩形の板状をなしており、底壁部３３の前端面であって、車幅方向に互いに離間した複数箇所（本実施形態では４箇所）から、被着部２７の支持孔部４２に向けて突出している。従って、各支持片４３は、加飾部材３１の係止片３４よりも、第１収納部２１及び格納部２２の配列方向において格納部２２から遠い箇所に位置している。各支持片４３の上下方向の厚みは、支持孔部４２の上下方向の寸法、及び底壁部３３の上下方向の厚みのいずれよりも小さく設定されている。
【００３４】
そして、上述したように、各係止片３４が対応する係止孔部２８に係止されることにより加飾部材３１が被着部２７に取付けられた状態では、各支持片４３が対応する支持孔部４２に挿通されている。係止解除補助部４１は、第１蓋体２３に対し、開位置よりも第１収納部２１を開く側へ回動させる力が加わった場合に、支持片４３の支持孔部４２に対する挿通箇所を支点として、加飾部材３１の被着部２７との係止状態を解除させる方向（図５の時計回り方向）へ加飾部材３１を回動させることで、係止の解除を補助するものである。
【００３５】
各支持片４３の支持孔部４２に対する挿通箇所、すなわち各支持片４３の底壁部３３との境界部分は、係止片３４の係止孔部２８に対する係止箇所よりも、加飾部材３１の加飾面３２ａから遠ざかった箇所、すなわち、同係止箇所よりも前方となる箇所に位置している。
【００３６】
上記のようにして、本実施形態の収納容器１４が構成されている。次に、この収納容器１４の作用について説明する。
本実施形態の収納容器１４では、容器本体１５において格納部２２を挟んで第１収納部２１の反対側（下側）となる箇所が、被着部２７に係止された加飾部材３１の加飾面３２ａによって装飾される。
【００３７】
上記収納容器１４にあって、図３に示すように、第１蓋体２３が閉位置にあるときには、各係止片３４が対応する係止孔部２８に挿通されている。爪部３４ａが係止孔部２８よりも前方に位置している。各爪部３４ａの一部は、係止孔部２８よりも上方に位置している。被着部２７において各係止孔部２８の周辺部分は、爪部３４ａが係止孔部２８から後方へ抜け出すのを規制する。この規制により加飾部材３１のがたつきが抑制されるとともに、各支持片４３が支持孔部４２に挿通された状態に保持される。
【００３８】
上記状態から、図５に示すように第１蓋体２３が、軸２６を支点として開位置まで回動されると、第１収納部２１の開口２１ａが開放される。また、第１蓋体２３の略半分が開口２２ａを通じて格納部２２に格納される。第１蓋体２３の残部は格納部２２から後方へ露出する。このとき、第１蓋体２３は加飾部材３１の後壁部３２から上方へ僅かに離れている。
【００３９】
ところで、上記のように開位置にある第１蓋体２３のうち格納部２２から露出した箇所（後半部）に対し、下方へ向かう過剰な荷重が加えられることが起こり得る。例えば、乗員が第１蓋体２３のうち格納部２２から露出した箇所に手をかけて下方へ力を加えた場合等である。こういう状況は、例えば、前席の乗員が上体を回して後ろを見ながら（振り向きながら）、第１蓋体２３に手を当てて体重をかけたときに起こり得る。もちろん、上記の状況は、後席の乗員が第１蓋体２３に手を当てて体重をかけたときにも起こり得る。
【００４０】
これらの場合には、図６に示すように、開位置にある第１蓋体２３に対し、さらに第１収納部２１を開く側へ回動させる力Ｆ１が加わり、第１蓋体２３が加飾部材３１の後壁部３２の上端に当接する。このときには、加飾部材３１の各支持片４３が被着部２７の支持孔部４２に挿通されている。そのため、加飾部材３１の被着部２７に対する係止の解除が係止解除補助部４１によって補助される。
【００４１】
すなわち、各支持片４３が支持孔部４２に挿通されている状況下で、上記のように第１蓋体２３の後半部に力Ｆ１が加えられると、加飾部材３１は、図７に示すように、各支持孔部４２に対する支持片４３の挿通箇所を支点として、加飾部材３１の被着部２７に対する係止状態を解除させる方向である時計回り方向へ回動される。本実施形態では、支持孔部４２及び支持片４３が車幅方向の複数箇所に設定されているため、各支持片４３の支持孔部４２に対する挿通箇所を支点とした加飾部材３１の回動が安定した姿勢で行なわれる。
【００４２】
上記加飾部材３１の回動により、各係止片３４が弾性変形しながら後方へ移動する。この弾性変形を伴う移動により、各爪部３４ａが係止孔部２８の壁面に沿って後方へ摺動する。そして、各爪部３４ａの後端部が図８に示すように係止孔部２８よりも後方へ移動すると、加飾部材３１の被着部２７に対する係止状態が解除される。
【００４３】
このようにして、加飾部材３１の被着部２７に対する係止の解除が係止解除補助部４１（支持孔部４２及び支持片４３）によって補助される。本実施形態では、各支持片４３が、各係止片３４の係止孔部２８に対する係止箇所よりも下方かつ前方で支持孔部４２に挿通されている。このことから、加飾部材３１の上記回動の途中で各係止片３４の爪部３４ａが係止孔部２８から抜け出しやすく、加飾部材３１の被着部２７に対する係止状態が解除されやすい。
【００４４】
また、各支持片４３の挿通箇所を支点とした加飾部材３１の上記回動の途中で、図示はしないが各位置決めボス３５が対応する位置決め孔部２９から抜け出す。
上記係止状態の解除により、加飾部材３１は被着部２７に係止されなくなり、動くことが可能となる。そのため、第１蓋体２３に加えられた上記荷重が加飾部材３１に伝わりにくくなる。また、第１蓋体２３が、接触した加飾部材３１から受ける反力も小さくなる。第１蓋体２３は、加飾部材３１が被着部２７に係止され続ける場合に比べ、第１収納部２１を開く側である下側へ多く動けるようになる。
【００４５】
そのため、加飾部材３１が被着部２７に係止され続ける場合とは異なり、第１蓋体２３も加飾部材３１も損傷されにくい。第１蓋体２３の意匠面である後面が傷の少ない状態を維持し、加飾部材３１の加飾面３２ａが傷の少ない状態を維持する。
【００４６】
なお、上記のように被着部２７との係止が解除された加飾部材３１は、図９に示すように自重により落下する。
この加飾部材３１は、第１蓋体２３に対し過剰な荷重が加えられなくなった状態で、再び被着部２７に取付けることが可能である。この場合、各位置決めボス３５が対応する位置決め孔部２９に挿通される。これらの挿通により、加飾部材３１の被着部２７に対する車幅方向の位置決め及び上下方向の位置決めがともになされる。特に、本実施形態では、位置決め孔部２９及び位置決めボス３５が車幅方向の複数箇所に設定されているため、位置決めが同方向の複数箇所で行なわれる。加飾部材３１全体の被着部２７に対する位置決めが高い精度で行なわれる。
【００４７】
さらに、各支持片４３が対応する支持孔部４２に挿通される。この挿通の途中で、各係止片３４が対応する係止孔部２８に挿通される。この挿通の過程で、各爪部３４ａの上面が対応する係止孔部２８の壁面に接触する。各爪部３４ａの上面は後側ほど高くなるように傾斜していることから、挿通が進むにつれて、各爪部３４ａの係止孔部２８の壁面との接触箇所が後方へ変化する。各爪部３４ａが係止孔部２８の壁面から受ける、下方へ向かう力は、挿通が進むに従い大きくなる。この力により、各係止片３４が下方へ弾性変形させられる。そして、各爪部３４ａが係止孔部２８を通過して被着部２７の前側に至ると、上記下方へ向かう力が消失する。その結果、各係止片３４は、弾性復元力により元の形に戻ろうとし、各爪部３４ａの一部が係止孔部２８よりも高い箇所に位置する。図３に示すように、各係止片３４は、被着部２７に係止された状態となる。本実施形態では、各係止孔部２８及び係止片３４が車幅方向の複数箇所に設定されているため、加飾部材３１の被着部２７に対する係止が同方向の複数箇所で行なわれる。その結果、加飾部材３１が被着部２７に安定した状態で取付けられる。
【００４８】
以上詳述した本実施形態によれば、次の効果が得られる。
（１）容器本体１５において格納部２２を挟んで第１収納部２１の反対側である下側に被着部２７を設け、加飾面３２ａを有する加飾部材３１を被着部２７に取外し可能に係止する。被着部２７及び加飾部材３１には、開位置にある第１蓋体２３に対し、さらに第１収納部２１を開く側へ回動させる力が加えられた場合に、加飾部材３１の被着部２７に対する係止の解除を補助する係止解除補助部４１を設けている（図５）。
【００４９】
そのため、第１蓋体２３が加飾部材３１と干渉しても、上記解除の補助により、加飾部材３１が動けるようになり、第１蓋体２３及び加飾部材３１が損傷されるのを抑制することができる。
【００５０】
（２）係止解除補助部４１を、被着部２７にあけられた支持孔部４２と、加飾部材３１から被着部２７に向けて突出する支持片４３とによって構成している（図５）。
そのため、支持片４３が支持孔部４２に挿通された状態で、第１蓋体２３に対し力Ｆ１が加わった場合（図６）に、支持片４３の支持孔部４２に対する挿通箇所を支点として、加飾部材３１の被着部２７との係止状態を解除させる方向（図７の時計回り方向）へ加飾部材３１を回動させることができる。この回動により、係止片３４の被着部２７に対する係止状態の解除を補助することができ、上記（１）の効果を得ることができる。
【００５１】
（３）被着部２７に係止孔部２８を設け、被着部２７に向けて突出する係止片３４を加飾部材３１に設けている。そして、係止片３４を係止孔部２８に挿通及び係止させることにより、加飾部材３１を被着部２７に取外し可能に係止している（図６）。
【００５２】
そのため、支持片４３の支持孔部４２に対する挿通箇所を支点として加飾部材３１が回動されたとき、係止片３４を係止孔部２８から抜け出させることで、加飾部材３１の被着部２７に対する係止状態を解除させることができる。
【００５３】
（４）支持孔部４２を、被着部２７の係止孔部２８よりも、第１収納部２１及び格納部２２の配列方向（上下方向）において格納部２２から遠い箇所に設ける。支持片４３を、加飾部材３１の係止片３４よりも、前記配列方向において格納部２２から遠い箇所に設ける。支持片４３の支持孔部４２に対する挿通箇所、すなわち回動の支点となる箇所を、係止片３４の係止孔部２８に対する係止箇所よりも、加飾部材３１の加飾面３２ａから前方へ遠ざかった箇所に設定している（図５）。
【００５４】
そのため、加飾部材３１が、支持孔部４２に挿通された支持片４３を支点として回動させられた場合、その回動の途中で、係止片３４を係止孔部２８から抜け出しやすくすることができ、加飾部材３１の被着部２７に対する係止状態を解除しやすくすることができる。
【００５５】
（５）容器本体１５において被着部２７を挟んで格納部２２とは反対側である下側に、凹部からなる第２収納部３６と、その開口３６ａを開放及び閉鎖する第２蓋体３７とを設けている（図２、図３）。
【００５６】
そのため、容器本体１５の後面であって、格納部２２の開口２２ａと第２収納部３６の開口３６ａとの間の間隙を加飾部材３１の加飾面３２ａによって見栄えのよいものにすることができる。
【００５７】
なお、上記実施形態は、これを以下のように変更した変形例として実施することもできる。
・収納容器は、第１収納部２１、格納部２２及び第２収納部３６が上下方向とは異なる方向、例えば、前後方向に並設された収納容器にも適用可能である。この場合、第１収納部２１、格納部２２及び第２収納部３６は容器本体１５の上面において開口してもよく、側面において開口してもよい。前者の場合、例えば、飲料容器を起立させた状態で第１収納部２１に収納することができる。
【００５８】
・収納容器は、容器本体１５において格納部２２を挟んで第１収納部２１の反対側に被着部２７を設け、この被着部２７に加飾部材３１を取外し可能に係止するものであれば広く適用可能である。従って、収納容器は、第２収納部３６及び第２蓋体３７の設けられていないものにも適用可能である。
【００５９】
・係止片３４及び係止孔部２８の組合わせが、上記実施形態とは異なる数設けられてもよい。また、係止片３４及び係止孔部２８が、車幅方向において上記実施形態とは異なる位置に設けられもよい。位置決め孔部２９、位置決めボス３５、支持孔部４２及び支持片４３についても同様である。
【００６０】
・加飾部材３１を被着部２７に取外し可能に係止するために、上記実施形態とは逆に、係止孔部２８が加飾部材３１に設けられ、係止片３４が被着部２７に設けられてもよい。
・加飾部材３１の底壁部３３が省略されてもよい。この場合、支持片４３は、後壁部３２の下端部から直接、被着部２７に向けて突出されてもよい。
【符号の説明】
【００６１】
１４…収納容器、１５…容器本体、２１…第１収納部、２１ａ，２２ａ，３６ａ…開口、２２…格納部、２３…第１蓋体、２７…被着部、２８…係止孔部、３１…加飾部材、３２ａ…加飾面、３４…係止片、３６…第２収納部、３７…第２蓋体、４１…係止解除補助部、４２…支持孔部、４３…支持片、Ｆ１…力。
【図１】
0006255610.tif 000002
【図２】
0006255610.tif 000003
【図３】
0006255610.tif 000004
【図４】
0006255610.tif 000005
【図５】
0006255610.tif 000006
【図６】
0006255610.tif 000007
【図７】
0006255610.tif 000008
【図８】
0006255610.tif 000009
【図９】
0006255610.tif 000010